(57)【要約】【課題】異なる形態の電池を用いることができるとともに、メンテナンス性に優れたヘッドホンの電池ケースおよびそれを備えたヘッドホンを得る。【解決手段】ヘッドホン筐体３と、ヘッドホン筐体３に組み込まれたスピーカと、を備えたヘッドホンの電池ケース４。電池ケース４はヘッドホン筐体３の挿入穴３１に挿入されることで装着されるとともに挿入穴３１を密閉し、ヘッドホン筐体３と電池との電気的接続はヘッドホン筐体３に設けられたマイナス端子３３と電池ケースに設けられたプラス側端子４４によりなされる。【選択図】図２
2013009062.tif 000002
【特許請求の範囲】
【請求項１】
ヘッドホン筐体と、
前記ヘッドホン筐体に組み込まれ音響信号により駆動されて音波を放射するスピーカと、
前記スピーカを駆動する信号処理回路と、
を備えたヘッドホンの電池ケースであって、
前記電池ケースは前記ヘッドホン筐体に設けられた挿入穴に挿入されることで装着され、前記電池ケースが前記挿入穴に挿入された状態において前記電池ケースの端面が前記挿入穴を密閉し、
前記ヘッドホン筐体と前記電池ケースに収納される電池との電気的接続は第１端子および第２端子によりなされ、前記第１端子は前記ヘッドホン筐体に設けられるとともに、前記第２端子は前記電池ケースに設けられていて、前記挿入孔に前記電池を収納した前記電池ケースが挿入されることで前記ヘッドホン筐体と前記電池との電気的接続が確立されるヘッドホンの電池ケース。
【請求項２】
前記第１端子はマイナス端子であり、前記第２端子はプラス端子である請求項１記載のヘッドホンの電池ケース。
【請求項３】
前記電池ケースには、前記電池ケースの外部から前記電池を押圧することで、前記電池ケースから前記電池を取り出すことを可能とする取出孔が設けられている請求項１または２に記載のヘッドホンの電池ケース。
【請求項４】
ヘッドホン筐体と、
前記ヘッドホン筐体に組み込まれ音響信号により駆動されて音波を放射するスピーカと、
前記スピーカを駆動する信号処理回路と、
前記スピーカおよび前記信号処理回路に電源を供給する電池を収納する電池ケースと、
を備えたヘッドホンであって、前記電池ケースが請求項１乃至３の何れかに記載の電池ケースであるヘッドホン。
【請求項５】
前記ヘッドホンがノイズキャンセルヘッドホンである請求項４記載のヘッドホン。
【請求項６】
前記ヘッドホンがワイヤレスヘッドホンである請求項４または５記載のヘッドホン。
【発明の詳細な説明】
【技術分野】
【０００１】
本発明は、ヘッドホンにおいて異なる形態の電池を用いることができるようにするとともに、メンテナンス性に優れたヘッドホンの電池ケースおよびそれを備えたヘッドホンに関する。
【背景技術】
【０００２】
環境雑音を打ち消すキャンセル信号と音楽を混合して出力することで、環境雑音を消音し、好適な環境で音楽を聴くことができるノイズキャンセルヘッドホンが知られている（例えば特許文献１を参照）。
【０００３】
特許文献１に示すノイズキャンセルヘッドホンは、ヘッドホン筐体に取り付けられたマイクロホンユニットによって周囲の雑音（環境雑音）を集音して電気信号に変換し、この環境雑音を元にヘッドホン筐体を通過して利用者の耳に聞こえる騒音を打ち消すキャンセル信号を生成して、このキャンセル信号を音楽信号とともにヘッドホンスピーカユニットに入力し、音楽のみを再生し、出力するように構成されている。
【０００４】
このようなノイズキャンセルヘッドホンでは、各構成部品を動作させるための電源が必要である。また、ワイヤレスヘッドホンでも、無線通信を行うための電源が必要となる。これらのヘッドホンにおいて電源として電池を用いる場合は、ヘッドホン筐体に、電池を格納するための電池ケースを設ける必要がある。
【０００５】
一般的に、電池ケースはヘッドホン筐体の内部に固定され、開口部がドアに覆われた構成となっている。そして、電池ケースに対する電池の出し入れは、このドアを開閉することで行われる（特許文献２参照）。
【先行技術文献】
【特許文献】
【０００６】
【特許文献１】特許第２５６２７０８号公報
【特許文献２】特開２００５−２８７０１８号公報
【発明の概要】
【発明が解決しようとする課題】
【０００７】
上述した電池ケースを備えたヘッドホンにおいては、電池ケースはヘッドホン筐体に固定されていて、取り外すことができない。そのため、ヘッドホンに使用できる電池の大きさや形状はヘッドホン筐体に固定されている電池ケースに対応したものに限定され、それ以外の大きさや形状の電池を使用することはできない。
【０００８】
また、電池ケースはヘッドホン筐体に固定されているため、電池ケースに不具合が生じたときにはヘッドホン全体を分解して修理する必要があり、メンテナンス性が悪い。
【０００９】
本発明は上記課題に鑑みてなされたものであって、ヘッドホンにおいて異なる形態の電池を使用することができるとともに、メンテナンス性に優れたノイズキャンセルヘッドホンの電池ケースおよびそれを備えたヘッドホンを提供することを目的とする。
【課題を解決するための手段】
【００１０】
本発明に係るノイズキャンセルヘッドホンの電池ケースは、ヘッドホン筐体と、ヘッドホン筐体に組み込まれ音響信号により駆動されて音波を放射するスピーカと、を備えたヘッドホンの電池ケースであって、電池ケースはヘッドホン筐体に設けられた挿入穴に挿入されることで装着され、電池ケースが挿入穴に挿入された状態において電池ケースの端面が挿入穴を密閉し、ヘッドホン筐体と電池ケースに収納される電池との電気的接続は第１端子および第２端子によりなされ、第１端子はヘッドホン筐体に設けられるとともに、第２端子は電池ケースに設けられていて、挿入孔に電池を収納した電池ケースが挿入されることでヘッドホン筐体と電池との電気的接続が確立されることを最も主要な特徴とする。
【００１１】
また、本発明に係るヘッドホンは、ヘッドホン筐体と、ヘッドホン筐体に組み込まれ音響信号により駆動されて音波を放射するスピーカと、スピーカを駆動する信号処理回路と、スピーカおよび前記信号処理回路に電源を供給する電池を収納する電池ケースと、を備えたヘッドホンであって、前記電池ケースが上述した電池ケースであることを主要な特徴とする。
【発明の効果】
【００１２】
本発明に係るヘッドホンの電池ケースおよびそれを備えたヘッドホンによると、異なる形態の電池を用いることができるとともに、メンテナンス性を向上することができる。
【図面の簡単な説明】
【００１３】
【図１】本発明に係る電池ケースおよびそれを備えたヘッドホンの実施例を示す要部斜視図である。
【図２】図１の電池ケースを取出した様子を示す要部斜視図である。
【図３】上記実施例中の電池ケースの上方斜視図である。
【図４】上記電池ケースの下方斜視図である。
【図５】上記実施例におけるヘッドホン筐体の要部断面図である。
【発明を実施するための形態】
【００１４】
以下、本発明に係るヘッドホンの電池ケースおよびそれを備えたヘッドホンの実施例について図を参照しながら説明する。
【００１５】
図１および図２に示すように、ヘッドホン１は、ヘッドバンド２と、ヘッドバンドの両端部に設けられたヘッドホン筐体３を備えている。ただし、図１、図２では左右のヘッドホン筐体のうち片方のヘッドホン筐体３のみが描かれている。この片方のヘッドホン筐体３には、下端近くにおいて電池ケース４が装着されている。電池ケース４は、後で詳細に説明するように、ヘッドホン筐体３に着脱可能になっている。
【００１６】
ヘッドバンド２は、図１および図２においては一方の端部のみが示されているが、実際はアーチ状の部材であり、所定の弾性力を有している。ヘッドホン１が使用者の頭部に装着されると、ヘッドバンド２は、使用者の頭部の大きさに合わせて弾性変形するとともに、その弾性変形に対する反発力により、使用者の頭部を押圧する向きに力を加える。このようにして、ヘッドホン１が使用者の頭部に装着される。
【００１７】
ヘッドホン筐体３はドーム状に形成されていて、その内部に、ヘッドホンユニット（不図示）や、周囲の騒音を集音するマイクユニット（不図示）等が組み込まれている。また、図５に示すように、ヘッドホン筐体３の外壁の一部には、後述する筒状の電池ケース４を挿入するための挿入穴３１と、電池ケース４の係止爪４１を係止するための係止穴３２が設けられている。
【００１８】
挿入穴３１は、電池ケース４をヘッドホン筐体３の斜め下方から斜め上方に向かって挿入することのできる径と深さを有する穴状の構造である。挿入穴３１の最深部には、電池ケース４に収納される電池のマイナス側接点と接続するためのマイナス端子（第１端子）３３が設けられているとともに、挿入穴３１の開口部付近の内側には、電池ケース４の後述する引出電極４６を介して電池のプラス側接点と接続するためのプラス端子３４が設けられている。マイナス端子３３およびプラス端子３４は、いずれもヘッドホン筐体３内部に搭載されているヘッドホンユニットやマイクユニット等の内蔵部品と電気的に接続され、これらの内蔵部品に電池からの電源を供給できるようになっている。
【００１９】
電池ケース４は、図３および図４に示すように、略四角柱状のケースであり、長手方向の一端（以下「開放端４２」という。）が開放されているとともに、それに連続する側面のうち１つ（以下「開放側面４３」という。）も開放されている。電池ケース４は樹脂等の絶縁素材で形成されている。電池ケース４の開放端４２とは反対側にある端部（以下「他端４４」という。）の外周面には、挿入孔３１への電池ケース４の挿入時に前述したヘッドホン筐体３の係止穴３２に嵌まることで電池ケース４を挿入孔３１に係止する係止爪４１が設けられている。また、電池ケース４の他端の内周面には、プラス側端子（第２端子）４５が設けられているとともに、プラス側端子４５に連続して、電池ケース４の外側に沿って引出電極４６が設けられている。
【００２０】
電池ケース４の係止爪４１は、電池ケース４の他端４４の外面に連続しかつＶ字状に折れ曲がって突出している。係止爪４１は、電池ケース４の素材と同じ樹脂等により形成され、弾性力を有している。係止爪４１の先端部近傍には凸部４１１が外方に向かって形成されていて、この凸部４１１がヘッドホン筐体３の挿入穴３２の開口部付近に形成されている図示せぬ凹部に係止することで、電池ケース４がヘッドホン筐体３に挿入された状態が維持されるようになっている。また、係止爪４１の先端部には指当て片４１２が形成されている。ヘッドホン筐体３に挿入されている電池ケース４を取り外すときには、使用者が指等で指当て片４１２を押し、係止爪４１をその弾力に抗して変形させ、凸部４１１が挿入穴３２の凹部から離間させる。こうすることで電池ケース４のヘッドホン筐体３への係止が解除され、電池ケース４を取り出すことができる。
【００２１】
電池ケース４には、内部に収納された電池を強固に保持し脱落を防止するための把持爪４７が設けられている。また、把持爪４７の把持力に抗して電池を取り出せるよう、電池ケース４の底部に取出孔４８が設けられている。電池を取り出すときは、電池ケース４の外側から取出孔４８を通じ、棒状のもの、例えば、ヘッドホンコードの先端にあるミニプラグで電池を押圧することで、電池ケース４から電池を容易に取り出すことができる。
【００２２】
電池とヘッドホン筐体３との電気的な接続は、以下のようにして行われる。
【００２３】
まず、電池を収納した電池ケース４が、ヘッドホン筐体３の挿入穴３２に挿入される。このとき、電池ケース４の係止爪４１の凸部４１１が挿入穴３２の凹部に係止することで、電池ケース４がヘッドホン筐体３に装着された状態が維持される。
【００２４】
上記のように電池ケース４がヘッドホン筐体３に装着された状態では、電池ケース４内に収納されている電池のプラス側接点と、電池ケース４の内周面に設けられているプラス側端子４５とが当接する。そして、プラス側端子４５から伸展している引出電極４６がヘッドホン筐体３側のプラス端子３４と当接することで、電池のプラス側接点とヘッドホン筐体３側との電気的接続が確立される。
【００２５】
電池のマイナス側接点は電池ケース４の開放端４２から露出している。そのため、電池ケース４が挿入穴３２に挿入された状態では、電池のマイナス側接点は電池ケース４の開放端４２を経て、挿入穴３２の最深部に設けられているマイナス端子３３と当接することで、電池のマイナス側接点とヘッドホン筐体３側との電気的接続が確立される。
【００２６】
ヘッドホン筐体３に装着されている電池ケース４を取出す場合は、使用者が指等で指当て片４１２を押し、係止爪４１をその弾力に抗して変形させ、凸部４１１が挿入穴３２の凹部から離間させる。こうすることで電池ケース４のヘッドホン筐体３への係止が解除され、電池ケース４を取り出すことができる。
【００２７】
上述した本発明に係るヘッドホンの電池ケースおよびそれを備えたヘッドホンによると、電池ケースはヘッドホン筐体に対して着脱可能であることから、電池ケースのみを交換することができる。そのため、例えば電池ケースが破損した場合には、電池ケースのみを交換することで容易にヘッドホンの修理を行うことができ、メンテナンス性に優れたヘッドホンとなっている。
【００２８】
また、電池ケースの外部形状は同一としつつ、様々な大きさや形状の電池に対応して内部の構造を変更したものを複数用意することで、同一のヘッドホンに対し、異なる形態の電池を用いることができる。
【００２９】
また、電池ケースはヘッドホン筐体に対して着脱可能であり、電池ケースをヘッドホン筐体から引き出すときに、電池ケースをヘッドホン筐体に係止しておくための構成を、ヘッドホン筐体および電池ケースに設ける必要が無い。そのため、ヘッドホンを小型化することができる。
【００３０】
また、電池ケースを挿入穴に挿入した状態において初めて電気的導通が確立するため、使用者が誤って電気的導通の確立された電池ケース等に触れることを防止することができる。
【００３１】
上述した本発明に係る電池ケースは、ノイズキャンセルを行うための構成や回路等に電源を供給する必要のあるノイズキャンセルヘッドホンや、無線通信を行うための電源を供給する必要のあるワイヤレスヘッドホン等に特に好適に用いることができる。
【符号の説明】
【００３２】
１  ヘッドホン
２  ヘッドバンド
３  ヘッドホン筐体
３１  挿入穴
３２  係止穴
３３  マイナス端子
３４  プラス端子
４  電池ケース
４１  係止爪
４１１  凸部
４１２  指当て片
４２  開放端
４３  開放側面
４４  他端
４５  プラス側端子
４６  引出電極
４７  把持爪
４８  取出孔
【図１】
2013009062.tif 000003
【図２】
2013009062.tif 000004
【図３】
2013009062.tif 000005
【図４】
2013009062.tif 000006
【図５】
2013009062.tif 000007